(57)【要約】【課題】撮影室を移動した場合でも、撮影に使用される放射線画像検出装置と移動先の撮影室に対応するコンソールとの対応付けを簡易かつ迅速に行うことができる放射線画像撮影システムを提供する。【解決手段】可搬型に構成され、放射線画像データを生成する放射線画像検出装置２と、放射線画像検出装置２により生成された放射線画像データに基づく画像を表示させるコンソール５と、コンソール５に対応して設けられ、放射線画像検出装置２とコンソール５とを対応付ける固有ＩＤを保持するドングル６と、を備え、放射線画像検出装置２は、ドングル６を接続可能に構成された接続部２６と、この接続部２６に接続されたドングル６から固有ＩＤを取得して対応するコンソール５を特定する制御部３０と、この制御部３０によって特定されたコンソール５との間で情報の送受信を行う通信部３５とを有している。【選択図】図１
2011062425.tif 000002
【特許請求の範囲】
【請求項１】
可搬型に構成され、放射線を検出して放射線量に応じた放射線画像データを生成する放射線画像検出装置と、
前記放射線画像検出装置により生成された放射線画像データに基づく画像を表示させるコンソールと、
前記コンソールに対応して設けられ、前記放射線画像検出装置と前記コンソールとを対応付ける対応付け情報を保持する対応付け情報保持デバイスと、を備え、
前記放射線画像検出装置は、前記対応付け情報保持デバイスを接続可能に構成された接続部と、この接続部に接続された前記対応付け情報保持デバイスから前記対応付け情報を取得して対応するコンソールを特定するコンソール特定手段と、このコンソール特定手段によって特定された前記コンソールとの間で情報の送受信を行う通信手段とを有していることを特徴とする放射線画像撮影システム。
【請求項２】
前記対応付け情報は、前記対応付け情報保持デバイスを識別することが可能な固有ＩＤであり、
前記放射線画像検出装置は、前記放射線画像検出装置と前記コンソールとの間で情報の送受信を行うための接続設定に必要な接続設定情報を前記コンソールごとに前記固有ＩＤと関連付けて記憶する情報記憶手段を備え、
前記コンソール特定手段は、前記対応付け情報保持デバイスから前記固有ＩＤを取得すると、この固有ＩＤに基づいて対応する前記コンソールを特定するとともに、前記情報記憶手段から当該固有ＩＤと関連付けられた前記コンソールの前記接続設定情報を取得し、前記通信手段は、この接続設定情報に基づいて対応する前記コンソールとの間で通信を行うことを特徴とする請求項１に記載の放射線画像撮影システム。
【請求項３】
前記対応付け情報は、前記コンソールとの間で情報の送受信を行うための接続設定に必要な接続設定情報であり、
前記コンソール特定手段は、前記対応付け情報保持デバイスから前記接続設定情報を取得すると、この接続設定情報に基づいて対応する前記コンソールを特定し、前記通信手段は、当該コンソールとの間で通信を行うことを特徴とする請求項１に記載の放射線画像撮影システム。
【請求項４】
前記接続設定情報は、前記コンソールのネットワークアドレス、通信に用いる無線帯域情報、無線アクセスポイントのＳＳＩＤ及びパスワードを含んでいることを特徴とする請求項２又は請求項３に記載の放射線画像撮影システム。
【請求項５】
前記放射線画像検出装置は、無線により前記コンソールと接続されることを特徴とする請求項１から請求項４のいずれか一項に記載の放射線画像撮影システム。
【請求項６】
前記対応付け情報保持デバイスは、前記放射線画像検出装置の前記接続部に接続可能なコネクタ部を有するドングルであることを特徴とする請求項１から請求項５のいずれか一項に記載の放射線画像撮影システム。
【発明の詳細な説明】
【技術分野】
【０００１】
本発明は、放射線画像撮影システムに関するものである。
【背景技術】
【０００２】
従来、医療用の放射線画像を取得する手段として、いわゆるフラットパネルディテクタ（Flat Panel Detector：ＦＰＤ）と呼ばれる固体撮像素子を２次元的に配置した放射線画像検出装置が知られている。このような放射線画像検出装置には、放射線検出素子として、ａ−Ｓｅ（アモルファスセレン）のような光導電物質を用いて放射線エネルギーを直接電荷に変換し、この電荷を２次元的に配置されたＴＦＴ（Thin Film Transistor：薄膜トランジスタ）等の信号読出し用のスイッチ素子によって画素単位に電気信号として読み出す直接方式のものや、放射線エネルギーをシンチレータ等で光に変換し、この光を２次元的に配置されたフォトダイオード等の光電変換素子で電荷に変換してＴＦＴ等によって電気信号として読み出す間接方式のもの等があることが知られている。
【０００３】
そして近年では、内部にバッテリを内蔵し、ケーブルレスで駆動可能な可搬型に構成されたカセッテ型の放射線画像検出装置が開発されている。放射線画像検出装置をこのように構成した場合、患者のベッドサイド等におけるポータブル撮影をはじめとする自由度の高い撮影が可能となる。また、据置き型の装置と異なり、容易に持ち運びができるため、複数の撮影室があるような場合に、用途等に応じて１つの放射線画像検出装置を異なる撮影室に移動させて撮影を行うことも考えられる。
【０００４】
ところで、放射線画像検出装置においては、取得された画像データに対して画素ごとにオフセット補正、ゲイン補正を行い、画像データを補正する必要があることが知られている。そして、これらの補正に必要なオフセット補正値、ゲイン補正値は各放射線画像検出装置ごとに異なる。
このため、放射線画像検出装置によって取得された画像データについてコンソールにおいて補正処理を行う場合には、コンソールが当該撮影に使用された放射線画像検出装置を正しく認識し、これに対応するオフセット補正値、ゲイン補正値を取得できるようにする必要がある。
【０００５】
この点、コンソールは、各撮影室ごとに設けられていることが一般であり、撮影室ごとに通信に使用する無線帯域等、通信接続に必要な設定情報が異なる。また、通信を中継する無線アクセスポイントもそれぞれ固有のＩＤやパスワードを有しており、さらに、コンソール自体もそれぞれ異なるネットワークアドレスや、セキュリティー管理等のための固有のＩＤ、パスワード等を有している。
このため、複数の撮影室がある場合、ある撮影室で撮影を行った後に、放射線画像検出装置を別の撮影室に移動して撮影を行う場合には、移動先の撮影室に対応したコンソールとの接続に必要な情報がなければ、放射線画像検出装置と移動先のコンソールとの間で情報の送受信を行うことができず、コンソール側では、撮影に使用された放射線画像検出装置に対応するオフセット補正値、ゲイン補正値を取得することができないこととなる。
【０００６】
移動元のコンソール等で予め設定変更等を行うことも考えられるが、移動前又は移動後に移動元のコンソールに戻って手続きを行うことはユーザにとって煩雑である。
そこで、撮影室を移動する場合には、移動先において放射線画像検出装置とコンソールとを適切に対応付け、撮影に使用される放射線画像検出装置と撮影室に対応するコンソールとの双方において接続関係の変更を行い、相互に情報の送受信が可能な状態とする必要がある。
【０００７】
放射線画像検出装置とコンソールとの対応付けの手法としては、例えば、コンソールの入力部から撮影に使用される放射線画像検出装置の識別情報（ＩＤ、バーコード等）を入力し、対応付けを行うものが知られている（例えば、特許文献１参照）。
また、放射線画像検出装置の固有情報を記憶するＲＦＩＤタグを放射線画像検出装置に付し、これをタグリーダで読み取って、撮影オーダ情報と対応付けることにより、放射線画像検出装置と対応するコンソールとを対応付ける技術も提案されている（例えば、特許文献２参照）。
さらに、無線通信を中継する無線アクセスポイントにそれぞれ異なるネットワークアドレスを割り当てるとともに、ルータを接続し、いずれの無線アクセスポイントを介して情報が送信されたかにより、撮影に使用された放射線画像検出装置と対応するコンソールとを対応付ける技術も提案されている（例えば、特許文献３参照）。
【先行技術文献】
【特許文献】
【０００８】
【特許文献１】国際公開第０６／０９５５３８号パンフレット
【特許文献２】国際公開第０９／０３１４１１号パンフレット
【特許文献３】国際公開第０８／１１１３５５号パンフレット
【発明の概要】
【発明が解決しようとする課題】
【０００９】
しかしながら、特許文献１に記載の方式による場合、放射線画像検出装置の識別情報をユーザが入力しなければならず、手間がかかるとの問題がある。
また、特許文献２に記載の方式による場合には、ＲＦＩＤタグを読み取るタグリーダが撮影室内に設けられているため、放射線画像検出装置の固有情報を登録するためには一旦撮影室に行って登録を行ってから、コンソールに移動して各種の設定等を行わなければならず、作業動線が多くなり、迅速な設定を行うことができないとの問題がある。
さらに、特許文献３に記載の方式による場合、各無線アクセスポイントにネットワークアドレスを割り当てたり、ルータを接続する等、設備の整備に手間とコストがかかるという問題がある。
【００１０】
本発明は以上のような事情に鑑みてなされたものであり、撮影室を移動した場合でも、撮影に使用される放射線画像検出装置と移動先の撮影室に対応するコンソールとの対応付けを簡易かつ迅速に行うことができる放射線画像撮影システムを提供することを目的とするものである。
【課題を解決するための手段】
【００１１】
前記の課題を解決するために、本発明の放射線画像撮影システムは、
可搬型に構成され、放射線を検出して放射線量に応じた放射線画像データを生成する放射線画像検出装置と、
前記放射線画像検出装置により生成された放射線画像データに基づく画像を表示させるコンソールと、
前記コンソールに対応して設けられ、前記放射線画像検出装置と前記コンソールとを対応付ける対応付け情報を保持する対応付け情報保持デバイスと、を備え、
前記放射線画像検出装置は、前記対応付け情報保持デバイスを接続可能に構成された接続部と、この接続部に接続された前記対応付け情報保持デバイスから前記対応付け情報を取得して対応するコンソールを特定するコンソール特定手段と、このコンソール特定手段によって特定された前記コンソールとの間で情報の送受信を行う通信手段とを有していることを特徴とする。
【発明の効果】
【００１２】
この発明によれば、対応付け情報保持デバイスを放射線画像検出装置の接続部に接続することにより、放射線画像検出装置とコンソールとを対応付ける対応付け情報を取得して、対応するコンソールを特定し、この特定されたコンソールとの間で情報の送受信を行うことができる。
このため、可搬型の放射線画像検出装置を、撮影室を移動して使用する場合でも、撮影に使用される放射線画像検出装置と移動先の撮影室に対応するコンソールとの対応付けを簡易かつ迅速に行うことができるとの効果を奏する。
そして、このように放射線画像検出装置とコンソールとを適切に対応付けることができることにより、放射線画像検出装置の選択ミスによる無駄被曝の発生防止や、放射線画像検出装置に応じた補正値による適切な補正処理を実現することができる。
【図面の簡単な説明】
【００１３】
【図１】本実施形態における放射線画像撮影システムのシステム構成の一例を示す概略図である。
【図２】本実施形態に係る放射線画像撮影システムに適用される放射線画像検出装置の外観を示す斜視図である。
【図３】図２に示す放射線画像検出装置のセンサパネル部及び読取部等の構成を示す等価回路図である。
【図４】図１に示すコンソールの機能的構成を示す要部ブロック図である。
【図５】図１に示すドングルの外観を示す斜視図である。
【発明を実施するための最良の形態】
【００１４】
以下、図面を参照して、本発明の好適な実施形態について説明する。なお、本発明を適用可能な実施形態がこれに限定されるものではない。
【００１５】
［第１の実施形態］
まず、図１から図５を参照しつつ、本発明に係る放射線画像撮影システムの第１の実施形態について説明する。ただし、本発明は図示例のものに限定されるものではない。
【００１６】
図１は、本実施形態に係る放射線画像撮影システムの概略構成を示す模式図である。
放射線画像撮影システムは、病院内で行われる放射線画像撮影を想定したシステムであり、放射線画像データ（以下、単に「画像データ」と称する。）を得る放射線画像検出装置２と、この放射線画像検出装置２と通信可能なコンソール５と、コンソール５に対応して設けられた対応付け情報保持デバイスとしてのドングル６とを備えている。
コンソール５は、無線ＬＡＮ（Local Area Network）８と接続されており、同様に無線ＬＡＮ８と接続された無線アクセスポイント１１３（後述）や、信号中継器１１６、データ管理サーバ７（後述）等との間で無線方式にて情報の送受信が可能となっている。
【００１７】
本実施形態においては、放射線を照射して患者Ｍの一部である被写体（患者Ｍの撮影対象部位）の画像撮影を行う撮影室Ｒが３つ設けられており、コンソール５及びこれに対応するドングル６は、各撮影室Ｒに対応して１つずつ設けられている。
また、放射線画像検出装置２は、各撮影室Ｒ又は図示しない保管場所に配置されている。
なお、本実施形態においては、放射線画像検出装置２が３つの撮影室Ｒにそれぞれ１つずつ配置されている場合を例として説明するが、撮影室Ｒの数、各撮影室Ｒに設けられる放射線画像検出装置２の数等は図示例に限定されない。
【００１８】
各撮影室Ｒ１〜Ｒ３内は、それぞれ撮影実施室Ｒ１ａ〜Ｒ３ａと、前室Ｒ１ｂ〜Ｒ３ｂとに分かれている。
各撮影実施室Ｒ１ａ〜Ｒ３ａ内には、放射線画像検出装置２を装填・保持可能なカセッテ保持部１１１を備えるブッキー装置１１０、被写体（患者Ｍの撮影対象部位）に放射線を照射するＸ線管球等の放射線源（図示せず）を備える放射線発生装置１１２が設けられている。カセッテ保持部１１１は、撮影時に放射線画像検出装置２を装填・保持するものである。
なお、図１には撮影実施室Ｒ１ａ及び撮影実施室Ｒ２ａ内に臥位撮影用のブッキー装置１１０ａが設けられ、撮影実施室Ｒ３ａに立位撮影用のブッキー装置１１０ｂが設けられている場合を例示しているが、撮影実施室Ｒ１ａ〜Ｒ３ａ内に設けられるブッキー装置１１０の数や種類は特に限定されない。例えば、１つの撮影実施室Ｒ１ａ〜Ｒ３ａに臥位撮影用のブッキー装置１１０ａと立位撮影用のブッキー装置１１０ｂとが設けられていてもよい。この場合、放射線発生装置１１２は各ブッキー装置１１０に対応して１つずつ設けられていてもよいし、１つの放射線発生装置１１２を、適宜位置を移動させたり、放射線照射方向を変更する等して複数のブッキー装置１１０に対応させ、使用するようになっていてもよい。
【００１９】
また、撮影実施室Ｒ１ａ〜Ｒ３ａは、放射線を遮蔽する室であり、無線通信用の電波も遮断されるため、各撮影実施室Ｒ１ａ〜Ｒ３ａ内には、放射線画像検出装置２とコンソール５等の外部装置とが通信する際にこれらの通信を中継する無線アクセスポイント（基地局）１１３ａ，１１３ｂ，１１３ｃがそれぞれ設けられている。
無線アクセスポイント１１３ａ，１１３ｂ，１１３ｃは、ＬＡＮケーブル等により、施設内の無線ＬＡＮ（Local Area Network）８と接続されており、撮影室Ｒ外に設けられている各機器との間で通信可能となっている。
本実施形態では、各撮影室Ｒ１〜Ｒ３ごとに通信に使用する無線帯域が異なるようになっており、特定のコンソール５との間で通信を行うためには、当該コンソールとの通信に用いられる無線帯域情報、無線アクセスポイント１１３ａ，１１３ｂ，１１３ｃのＳＳＩＤとパスワード、及びコンソール５に割り当てられているネットワークアドレス等の情報（以下、これらの情報を「接続設定情報」と称する。）を取得することが必要となっている。なお、接続設定情報はここに例示したものに限定されない。これらの他に各種ＩＤ等の情報を含むものとしてもよい。
【００２０】
また、撮影実施室Ｒ１ａ〜Ｒ３ａ内には、放射線画像検出装置２やコンソール５等の他の装置と放射線発生装置１１２との間の信号の送受信を中継する信号中継器１１６が設けられている。信号中継器１１６は、ＬＡＮケーブル等により、施設内の無線ＬＡＮ８と接続されている。
信号中継器１１６は、例えば放射線発生装置１１２から出力される信号を一般的なＨＵＢ等に適合するＬＡＮ通信用の信号に変換する変換装置として機能する。放射線画像検出装置２やコンソール５と放射線発生装置１１２とは、この信号中継器１１６を介して信号の送受信が可能となっており、例えば曝射タイミングと放射線画像検出装置２のリセットタイミングとを連動させたり、撮影に応じて照射野や管球位置等を連動させることができるようになっている。
【００２１】
また、前室Ｒ１ｂ〜Ｒ３ｂには、放射線発生装置１１２の曝射ボタン（図示せず）を備える操作装置１１５が設けられている。操作装置１１５はケーブル等を介して放射線発生装置１１２と接続されており、技師が撮影開始を希望して曝射ボタンを操作すると、曝射ボタンが押された旨の信号が、放射線発生装置１１２に出力され、さらに放射線発生装置１１２から信号中継器１１６を介してコンソール５等に送信される。
【００２２】
本実施形態において放射線画像検出装置２は、いわゆるフラットパネルディテクタ（Flat Panel Detector：以下「ＦＰＤ」という。）を可搬型に構成したカセッテ型ＦＰＤであり、放射線画像撮影に用いられ、放射線を検出して放射線量に応じた放射線画像データ（以下、単に「画像データ」と称する。）を生成・取得するものである。
本実施形態において、放射線画像検出装置２は、それぞれ固有の識別ＩＤを付与されている。
なお、以下では、放射線画像検出装置２として、シンチレータ等を備え、放射された放射線を可視光等の他の波長の電磁波に変換して電気信号を得るいわゆる間接型の放射線画像検出装置について説明するが、本発明は、シンチレータ等を介さずに放射線を放射線検出素子で直接検出する、いわゆる直接型の放射線画像検出装置に対しても適用することができる。
【００２３】
図２は、本実施形態における放射線画像検出装置２の斜視図である。
放射線画像検出装置２は、図２に示すように、内部を保護する筐体２１を備えている。筐体２１は、少なくとも放射線の照射を受ける側の面Ｘ（以下、放射線入射面Ｘという。）が、放射線を透過するカーボン板やプラスチック等の材料で形成されている。なお、図２では、筐体２１がフロント部材２１ａとバック部材２１ｂとで形成されている場合が示されているが、その形状、構成は特に限定されず、この他にも、筐体２１を筒状のいわゆるモノコック状に形成することも可能である。
【００２４】
図２に示すように、本実施形態において、放射線画像検出装置２の側面部分には、電源スイッチ２２、インジケータ２５、接続部２６等が配置されている。
【００２５】
電源スイッチ２２は、放射線画像検出装置２の電源のＯＮ／ＯＦＦを切り替えるものであり、電源スイッチ２２を操作することにより、バッテリ２８による放射線画像検出装置２の各機能部に対する電力供給の開始及び停止を指示する信号が後述する制御部３０（図３参照）に出力される。放射線画像検出装置２を撮影に使用しないときには、電源をＯＦＦ（すなわち、バッテリ２８による各機能部に対する電力供給を停止）にしておくことにより、バッテリ２８の電力消費を抑えることができる。
【００２６】
インジケータ２５は、例えばＬＥＤ等で構成されバッテリ２８の充電残量や各種の操作状況等を表示するものである。
本実施形態においては、例えば、後述するドングル６を接続したときに点滅し、ドングル６から当該ドングル６の固有ＩＤの取得が完了すると消灯する等により、固有ＩＤの取得完了をユーザに報知する機能を果たすものである。
【００２７】
また、放射線画像検出装置２には、放射線画像検出装置２の各機能部に電力を供給するバッテリ２８が設けられている。
バッテリ２８は、充電可能なものであり、例えばニッカド電池、ニッケル水素電池、リチウムイオン電池、小型シール鉛電池、鉛蓄電池等の充電自在な二次電池や、電気二重層コンデンサ、リチウムイオンキャパシタ（ＬＩＣ）等の蓄電素子等を適用することができる。
このうち、特に、リチウムイオンキャパシタは、蓄電効率に優れるとともに、大電流（例えば５〜１０Ａ）による高速充電が可能であり、充電時間を大幅に短縮することができるため、好ましい。
【００２８】
また、放射線画像検出装置２の側面部分には、筐体２１内に内蔵されたバッテリ２８の交換のために開閉される蓋部材７０が設けられており、蓋部材７０の側面部には、放射線画像検出装置２が後述する無線アクセスポイント１１３（図１参照）を介して外部と無線方式で情報の送受信を行うためのアンテナ装置７１が埋め込まれている。
【００２９】
接続部２６は、対応付け情報保持デバイスとしてのドングル６等の外部装置を接続可能に構成されている。本実施形態では、接続部２６は、ＵＳＢ接続が可能なＵＳＢ接続端子となっている。
図３に示すように、接続部２６は制御部３０と接続されており、後述するように、接続部２６にドングル６が接続されると、制御部３０は、ドングル６の有する固有ＩＤの情報をドングル６から取得するようになっている。
【００３０】
筐体２１の放射線入射面Ｘ（図２参照）の内側には、放射線入射面Ｘから入射した放射線を吸収して可視光を含む波長の光に変換する図示しないシンチレータ層が形成されている。シンチレータ層は、例えばＣｓＩ：ＴｌやＧｄ2Ｏ2Ｓ：Ｔｂ、ＺｎＳ：Ａｇ等の母体内に発光中心物質が付活された蛍光体を用いて形成されたものを用いることができる。
【００３１】
シンチレータ層の放射線が入射する側の面とは反対側の面側には、シンチレータ層から出力された光を電気信号に変換する複数の光電変換素子２３（図３参照）が２次元状に複数配列された検出手段としてのセンサパネル部２４が設けられている。光電変換素子２３は、例えばフォトダイオード等であり、シンチレータ層等と共に、被写体を透過した放射線を電気信号に変換する放射線検出素子を構成する。
【００３２】
本実施形態においては、制御部３０、走査駆動回路３２、信号読出し回路３３等により、このセンサパネル部２４の各光電変換素子２３の出力値を読み取る読取手段である読取部４５（図３参照）が構成されている。
【００３３】
センサパネル部２４及び読取部４５の構成について、図３の等価回路図を参照しつつ、さらに説明する。
図３に示すように、センサパネル部２４の各光電変換素子２３の一方の電極にはそれぞれ信号読出し用のスイッチ素子であるＴＦＴ４６のソース電極が接続されている。また、各光電変換素子２３の他方の電極にはバイアス線Ｌｂが接続されており、バイアス線Ｌｂはバイアス電源３６に接続されていて、バイアス電源３６から各光電変換素子２３に逆バイアス電圧が印加されるようになっている。
【００３４】
各ＴＦＴ４６のゲート電極はそれぞれ走査駆動回路３２から延びる走査線Ｌｌに接続されており、ＴＦＴ４６のゲート電極には、この走査線Ｌｌを介して図示しないＴＦＴ電源から読み出し電圧（ＯＮ電圧）又はＯＦＦ電圧が印加されるようになっている。また、各ＴＦＴ４６のドレイン電極はそれぞれ信号線Ｌｒに接続されている。各信号線Ｌｒは、それぞれ信号読出し回路３３内の増幅回路３７に接続されており、各増幅回路３７の出力線はそれぞれサンプルホールド回路３８を経てアナログマルチプレクサ３９に接続されている。また、信号読出し回路３３には信号をデジタル信号に変換処理する処理手段としてのＡ／Ｄ変換部４０が接続されており、アナログマルチプレクサ３９から送り出されたアナログの画像信号は、Ａ／Ｄ変換部４０によりデジタルの画像信号に変換される。信号読出し回路３３は、このＡ／Ｄ変換部４０を介して制御部３０に接続されており、デジタルの画像信号が制御部３０に出力される。制御部３０には、記憶部３１が接続されており、制御部３０は、Ａ／Ｄ変換部４０から送られたデジタルの画像信号を画像データとして記憶部３１に記憶させるようになっている。
【００３５】
制御部３０は、図示しないＣＰＵ（Central Proessing Unit）、ＲＯＭ（Read Only Memory）、ＲＡＭ（Random・Access Memory）等を備えるコンピュータであり、放射線画像検出装置２全体を統括的に制御する。
【００３６】
ＲＯＭには、画像データ生成処理、給電制御処理等、放射線画像検出装置２において各種の処理を行うためのプログラム、各種の制御プログラムやパラメータ等が記憶されている。
制御部３０は、ＲＯＭに格納された所定のプログラムを読み出してＲＡＭの作業領域に展開し、当該プログラムに従ってＣＰＵが各種処理を実行するようになっている。
【００３７】
制御部３０は、画像データを生成する他、画像データに所定の信号処理を施すことによって画像データを外部に出力するのに適した形式のデータとする画像データの変換処理等を行う。
【００３８】
また、本実施形態において、制御部３０は、接続部２６にドングル６が接続されると、このドングル６から対応付け情報としての固有ＩＤを取得して対応するコンソール５を特定するコンソール特定手段として機能する。
すなわち、ドングル６から固有ＩＤを取得すると、制御部３０は、当該固有ＩＤと関連付けられたコンソール５を特定する。そして、記憶部３１等に予め記憶されている接続設定情報の中から当該固有ＩＤと関連付けられたコンソール５に対応するものを読み出して（取得して）、この接続設定情報に基づいて無線アクセスポイント１１３を介して対応するコンソール５との間で通信を行うように通信部３５を制御する。
また、制御部３０は、放射線画像検出装置２のリセット処理が完了すると、その旨のリセット完了信号を対応するコンソール５に送信するようになっている。
【００３９】
記憶部３１は、例えばＨＤＤ（Hard Disk Drive）やフラッシュメモリ等で構成されており、記憶部３１には、読取部４５（図３参照）により生成される実写画像データ（被写体を透過した放射線に基づく画像データ）や、ダーク読取値（放射線を照射しない状態で取得された画像データ）等が記憶されるようになっている。
【００４０】
また、本実施形態では、記憶部３１には、ドングル６の固有ＩＤと当該ドングル６に対応するコンソール５と通信を行うための接続設定情報とが各コンソール５ごとに関連付けられて記憶されており、記憶部３１は、情報記憶手段として機能する。
なお、記憶部３１以外が情報記憶手段として機能してもよく、例えば、制御部３０のＲＯＭ等に接続設定情報が記憶されていてもよいし、情報記憶手段として機能する別個の記憶手段を有していてもよい。
【００４１】
なお、記憶部３１は内蔵型のメモリでもよいし、メモリカード等の着脱可能なメモリでもよい。また、その容量は特に限定されないが、複数枚分の画像データを保存可能な容量を有することが好ましい。このような記憶手段を備えることによって、被写体に対して連続して放射線を照射し、その度ごとに画像データを記録し蓄積していくことができ、連続撮影や動画撮影を行うことが可能となる。
【００４２】
通信部３５は、アンテナ装置７１と接続されており、制御部３０の制御に従って、コンソール５等の外部装置との間で各種信号の送受信を行うものである。通信部３５は、無線アクセスポイント１１３を介して無線方式でコンソール５等の外部装置との通信を行う。
【００４３】
本実施形態において、通信部３５は、ドングル６の固有ＩＤに基づいて制御部３０が特定したコンソール５に対して、当該放射線画像検出装置２を識別する識別ＩＤを送信するようになっている。
また、通信部３５は、読取部４５によって読み取られＡ／Ｄ変換部４０においてアナログ信号からデジタル信号に変換された画像信号に基づく画像データを外部機器であるコンソール５に送信するとともにコンソール５等から撮影オーダ情報等を受信する。
【００４４】
図４に示すように、コンソール５は、ＣＰＵ（Central Processing Unit）等で構成される制御部５１、記憶部５２、入力部５３、表示部５４、通信部５５等を備えて構成されており、各部はバス５７により接続されている。
【００４５】
記憶部５２は、図示しないＲＯＭ（read only memory）、ＲＡＭ（Random Access Memory）等から構成されている。
ＲＯＭは、例えばＨＤＤ（Hard Disk Drive）や半導体の不揮発性メモリ等で構成されており、ＲＯＭには、患部を検出するための自動部位認識に基づく階調処理・周波数処理等の画像処理を行うためのプログラム等、各種のプログラムが記憶されているほか、撮影画像の画像データを診断に適した画質に調整するための画像処理パラメータ（階調処理に用いる階調曲線を定義したルックアップテーブル、周波数処理の強調度等）等が記憶されている。
ＲＡＭは、制御部５１により実行制御される各種処理において、ＲＯＭから読み出されて制御部５１で実行可能な各種プログラム、入力若しくは出力データ、及びパラメータ等を一時的に記憶するワークエリアを形成する。本実施形態において、ＲＡＭは、放射線画像検出装置２から受信した画像データや患者情報等を一時的に格納するようになっている。
本実施形態では、記憶部５２は、撮影オーダ情報等を記憶している。また、記憶部５２は、放射線画像検出装置２ａ，２ｂ，２ｃから送信された画像データを一時的に保存する画像データ保存手段として機能する。さらに、記憶部５２は、撮影に使用された放射線画像検出装置２のオフセット補正値情報やゲイン補正値情報を取得したときに、これを記憶しておく記憶手段としても機能する。
【００４６】
制御部５１は、ＲＯＭに記憶されているシステムプログラムや処理プログラム等の各種プログラムを読み出してＲＡＭの作業領域に展開し、展開されたプログラムに従って各種処理を実行するコンソール５の制御手段である。
【００４７】
制御部５１は、撮影に使用された放射線画像検出装置２から識別ＩＤが送信されたときは、当該識別ＩＤに対応する放射線画像検出装置２を撮影に使用するものとして特定し、当該放射線画像検出装置２に対して撮影オーダ情報等を送信するようになっている。
また、制御部５１は、無線ＬＡＮ８を介してデータ管理サーバ７にアクセスし、データ管理サーバ７内に記憶されている放射線画像検出装置２のオフセット補正値情報やゲイン補正値情報の中から、放射線画像検出装置２から送信された識別ＩＤに対応するものを読み出して取得するようになっている。そして、放射線画像検出装置２から画像データが送信されたときは、データ管理サーバ７から取得したオフセット補正値やゲイン補正値により画像データの補正を行う。
また、制御部５１は、放射線画像検出装置２から送られた画像データに基づく画像を表示するように表示部５４の表示を制御する。
また、制御部５１は、被写体情報（撮影オーダ情報）と放射線画像検出装置２の放射線画像検出装置２で生成された画像データとを対応付ける対応付け手段として機能する。
【００４８】
制御部５１は、放射線画像検出装置２のリセット処理が完了し撮影に適した状態になっているかを判断するようになっている。
具体的には、放射線画像検出装置２からリセット処理が完了した旨のリセット完了信号を受信したか否かを判断する。
【００４９】
本実施形態において、制御部５１は、放射線発生装置１１２に対し曝射禁止状態を維持するように曝射禁止信号（インターロック信号）を出力するように通信部５５を制御するようになっている。曝射禁止信号（インターロック信号）は、例えば、図示しないＬＡＮケーブル及び信号中継器１１６を介して、放射線発生装置１１２に出力される。
そして、放射線発生装置１１２から曝射ボタンが操作された旨の信号が送信されても、放射線画像検出装置２からリセット完了信号を受信しない限りは、制御部５１は、曝射禁止信号（インターロック信号）が出力された状態を維持し、曝射禁止状態を維持させるようになっている。
【００５０】
入力部５３は、文字入力キー、数字入力キー、及び各種機能キー等を備えたキーボードと、マウス等のポインティングデバイスを備えて構成され、キーボードで押下操作されたキーの押下信号とマウスによる操作信号とを、入力信号として制御部５１に出力する。
入力部５３は、被写体に関する被写体情報（撮影オーダ情報）や、曝射指示等を入力する入力手段として機能する。
なお、コンソール５には図示しないＨＩＳ／ＲＩＳ等から予め登録されている被写体情報（撮影オーダ情報）が送られるようになっていてもよい。この場合には、入力部５３から入力することなく被写体情報（撮影オーダ情報）を取得することができる。
【００５１】
表示部５４は、例えば、ＣＲＴ（Cathode Ray Tube）やＬＣＤ（Liquid Crystal Display）等のモニタを備えて構成されており、制御部５１から入力される表示信号の指示に従って、各種画面を表示する。
なお、表示部５４の画面上に、透明電極を格子状に配置した感圧式（抵抗膜圧式）のタッチパネル（図示せず）を形成し、表示部５４と入力部５３とが一体に構成されるタッチスクリーンとしてもよい。この場合、タッチパネルは、手指やタッチペン等で押下された力点のＸＹ座標を電圧値で検出し、検出された位置信号が操作信号として制御部５１に出力されるように構成される。なお、表示部５４は、一般的なＰＣ（Personal Computer）に用いられるモニタよりも高精細のものであってもよい。
【００５２】
本実施形態において、表示部５４は、放射線画像検出装置２から送信される画像データに基づく画像を表示する表示手段である。
また、表示部５４は、入力部５３からの入力等により取得した撮影オーダ情報に基づく撮影オーダリストを表示することができる。ユーザがこの撮影オーダリストの中から任意の撮影オーダ情報を選択する（画面上の撮影オーダリストの中から任意の撮影オーダ情報をマウス等の入力部５３で選択する）ことにより、撮影オーダ情報を選択・入力することができる。
【００５３】
通信部５５は、無線ＬＡＮ８と接続されており、各コンソール５に対応する撮影室Ｒ内に設けられた無線アクセスポイント１１３を介して放射線画像検出装置２ａ，２ｂ，２ｃ等と情報の送受信を行うものである。
【００５４】
なお、コンソール５は、例えばＨＩＳ／ＲＩＳ、ＰＡＣＳサーバ、イメージャ等（いずれも図示せず）の外部装置とネットワークを介して接続されていてもよい。なお、ネットワークを介してコンソール５と接続される外部装置はここに例示したものに限定されない。
【００５５】
図５に示すように、ドングル６（６ａ，６ｂ，６ｃ）は、ＵＳＢ接続端子に接続可能なコネクタ部６１を有する携帯型の対応付け情報保持デバイスであり、各コンソール５ａ，５ｂ，５ｃに対応して設けられている。ドングル６には、それぞれ固有のＩＤが記憶されている。ドングル６の配置される場所は特に限定されないが、対応するコンソール５の近傍に配置されることが好ましい。
本実施形態において、ドングル６には、例えばＩＣデバイスやマイクロコンピュータ等（いずれも図示せず）が設けられており、ドングル６が放射線画像検出装置２の接続部２６に接続されることにより、放射線画像検出装置２の制御部３０に対して固有ＩＤを出力することができるようになっている。なお、ドングル６の構成はここに例示したものに限定されない。
【００５６】
次に、本実施形態における放射線画像撮影システムの作用について説明する。
放射線画像検出装置２をある撮影室Ｒに持ち込んで撮影を行う際は、まず、ユーザは当該撮影室Ｒに対応して設けられているコンソール５のところに行き、このコンソール５に対応して設けられているドングル６を放射線画像検出装置２の接続部２６に接続する。接続部２６に接続されると、ドングル６のＩＣデバイスは、当該ドングル６の固有ＩＤを放射線画像検出装置２の制御部３０に対して出力する。
例えば、図１に示す放射線画像検出装置２ａを撮影室Ｒ３に移動して、撮影実施室Ｒ３ａに配置された立位撮影用のブッキー装置１１０ｂを用いて撮影を行う場合、放射線画像検出装置２ａを撮影室Ｒ３に対応するコンソール５ｃのところに持っていく。そして、コンソール５ｃと対応付けられているドングル６ｃを放射線画像検出装置２ａの接続部２６に接続して、ドングル６ｃの固有ＩＤを取得する。
【００５７】
制御部３０は、ドングル６から固有ＩＤを受け取ると、当該撮影室Ｒにおける撮影において通信を行うべきコンソール５を特定する。そして、記憶部３２から当該固有ＩＤに対応する接続設定情報を読み出し、この接続設定情報に基づいて、通信部３５から特定されたコンソールに対し当該放射線画像検出装置２の識別ＩＤを送信するように制御する。
これにより、通信部３５は、特定されたコンソール５のネットワークアドレスに対して、接続設定情報に従った無線帯域で、所定のＳＳＩＤ及びパスワードに対応する無線アクセスポイント１１３を介して、放射線画像検出装置２の識別ＩＤを送信する。
例えば、上記の例の場合、制御部３０は、ドングル６ｃから固有ＩＤを受け取ったことにより、当該撮影室Ｒ３における撮影において通信を行うべきコンソール５を、固有ＩＤに対応するコンソール５ｃと特定する。そして、通信部３５から無線アクセスポイント１１３ｃを介してコンソール５ｃに対して放射線画像検出装置２ａの識別ＩＤが送信される。
【００５８】
コンソール５の制御部５１は、放射線画像検出装置２の識別ＩＤを受信すると、当該放射線画像検出装置２に対して、撮影オーダ情報等、撮影に必要な情報を送信する。また、制御部５１は、データ管理サーバ７にアクセスして、受信した識別ＩＤに対応するオフセット補正値情報やゲイン補正値情報等を取得する。
すなわち、上記の例の場合、コンソール５ｃの制御部５１は、受信した放射線画像検出装置２ａの識別ＩＤに基づいて、放射線画像検出装置２ａを撮影に使用される放射線画像検出装置２と特定し、撮影に必要な情報を送信するとともに、データ管理サーバ７から識別ＩＤに対応する放射線画像検出装置２ａのオフセット補正値情報やゲイン補正値情報等を取得する。
【００５９】
コンソール５の通信部５５からは、ＬＡＮケーブル等を介して対応する撮影室Ｒ内の放射線発生装置１１２に対して曝射を禁止する曝射禁止信号（インターロック信号）が出力されており、この曝射禁止信号が解除されない限り放射線発生装置１１２の曝射が禁止された状態が維持されている。
放射線技師等が前室Ｒ１ｂ〜Ｒ３ｂにおいて操作装置１１５の曝射ボタンを操作すると、曝射ボタンが操作された旨の信号が、放射線発生装置１１２から信号中継器１１６を介してコンソール５に出力される。
コンソール５の制御部５１は、撮影に使用される放射線画像検出装置２からリセット完了信号を受信したか否かを判断し、リセット完了信号を受信した場合には、放射線発生装置１１２に対する曝射禁止信号の出力を解除する。これに対して、リセット完了信号を受信しない場合には、操作装置１１５の曝射ボタンが操作されても、曝射禁止信号の出力を解除せず、放射線発生装置１１２の曝射が禁止された状態を維持する。
【００６０】
放射線画像検出装置２からリセット完了信号を受信して、制御部５１が曝射禁止信号を解除すると、当該コンソール５に対応する撮影室Ｒの放射線発生装置１１２から、放射線が照射され、放射線画像検出装置２により画像データが取得される。
取得された画像データは、放射線画像検出装置２から対応するコンソール５に対して適宜送信され、コンソール５は、データ管理サーバ７から取得したオフセット補正値情報やゲイン補正値情報等に基づいて、当該画像データについてオフセット補正やゲイン補正、その他の画像処理を行う。そして、各種補正や画像処理が完了すると、補正処理・画像処理後の画像データに基づく画像がコンソール５の表示部５４に表示される。
【００６１】
以上のように、本実施形態によれば、コンソール５に対応して設けられたドングル６を放射線画像検出装置２の接続部２６に接続するだけで、各撮影室Ｒに対応したコンソール５を特定し、これと接続するための接続設定情報を取得することができる。このため、１つの放射線画像検出装置２を持ったまま撮影室Ｒを移動して撮影が行われる場合でも、特別な設定等を行うことなく、移動先の撮影室Ｒの無線帯域に合わせて、対応するコンソール５と通信することが可能になる。
【００６２】
可搬型の放射線画像検出装置２の場合、撮影室Ｒ間を自由に移動して使用することができれば、放射線画像検出装置２が少ない数しかない場合でも有効に活用することができ、また、ある撮影室Ｒ内の放射線画像検出装置２が故障したとき等にはバックアップとして他の撮影室Ｒに配置されていた放射線画像検出装置２を用いることができるため、ユーザにとって便宜である。
しかし、撮影室Ｒを移動した際に、放射線画像検出装置２とコンソール５との接続関係の変更をスムーズに行うことができないと、迅速・円滑な撮影を行うことが阻害されるのみならず、患者Ｍの画像データが撮影を行った撮影室Ｒとは異なった撮影室Ｒに対応付けられたコンソール５に送られてしまう等、取り違えの危険をも生ずることとなる。
この点、本実施形態によれば、撮影室Ｒを移動した際の放射線画像検出装置２とコンソール５との接続関係の変更を、簡易な手法により確実に行うことができ、円滑で安全なシステムを構築することができる。
【００６３】
また、本実施形態では、ドングル６は固有ＩＤしか保持していないため、仮にドングル６を第三者が持ち出したとしてもこれのみでは何ら情報を取得することができず、セキュリティー上優れている。
また、ドングル６は固有ＩＤのみを保持するものであるため、簡易な構成で足り、情報の書き込み等も容易に行うことができる。
【００６４】
なお、本発明が本実施形態に限定されず、適宜変更可能であることはいうまでもない。
【００６５】
［第２の実施形態］
次に、本発明に係る放射線画像撮影システムの第２の実施形態について説明する。なお、第２の実施形態は、ドングルに保持されている情報が第１の実施形態と異なるものであるため、以下においては、特に第１の実施形態と異なる点について説明する。
【００６６】
本実施形態において、放射線画像撮影システムは、第１の実施形態と同様に放射線画像検出装置と、この放射線画像検出装置と通信可能なコンソールと、コンソールに対応して設けられた対応付け情報保持デバイスとしてのドングルとを備えている。
【００６７】
本実施形態におけるドングルは、対応するコンソールの接続設定情報（例えば、コンソールのネットワークアドレス、撮影室の無線帯域情報、無線アクセスポイントのＳＳＩＤ及びパスワード）を保持しており、放射線画像検出装置の接続部と接続されることにより、放射線画像検出装置の制御部に対して接続設定情報を出力するようになっている。
放射線画像検出装置の制御部は、この接続設定情報に基づいて対応するコンソールとの間で通信を行うように通信部を制御するようになっている。
このように、本実施形態では、対応するコンソールの接続設定情報をドングルから取得するため、放射線画像検出装置の記憶部等に各コンソールの接続設定情報を格納しておく必要がない。
【００６８】
なお、その他の構成は、第１の実施形態で説明したものと同様であることから、その説明を省略する。
【００６９】
次に、本実施形態における放射線画像撮影システムの作用について説明する。
放射線画像検出装置をある撮影室に持ち込んで撮影を行う際は、まず、ユーザは当該撮影室に対応して設けられているコンソールのところに行き、このコンソールに対応して設けられているドングルを放射線画像検出装置の接続部に接続する。接続部に接続されると、ドングルのＩＣデバイスは、当該ドングルの保有している接続設定情報を放射線画像検出装置の制御部に対して出力する。
制御部は、ドングルから接続設定情報を受け取ると、当該撮影室における撮影において通信を行うべきコンソールを特定する。そして、特定されたコンソールに対し、ドングルから取得した接続設定情報に基づいて当該放射線画像検出装置の識別ＩＤを送信するように制御する。
これにより、通信部は、特定されたコンソールのネットワークアドレスに対して、接続設定情報に従った無線帯域で、所定のＳＳＩＤ及びパスワードに対応する無線アクセスポイントを介して、放射線画像検出装置の識別ＩＤを送信する。
【００７０】
コンソールの制御部は、放射線画像検出装置の識別ＩＤを受信すると、当該放射線画像検出装置に対して、撮影オーダ情報等、撮影に必要な情報を送信する。また、制御部は、データ管理サーバにアクセスして、受信した識別ＩＤに対応するオフセット補正値情報やゲイン補正値情報等を取得する。
【００７１】
コンソールの通信部からは、対応する撮影室内の放射線発生装置に対して曝射を禁止する曝射禁止信号（インターロック信号）が出力されており、この曝射禁止信号が解除されない限り放射線発生装置の曝射が禁止された状態が維持されている。
放射線技師等が前室において操作装置の曝射ボタンを操作すると、曝射ボタンが操作された旨の信号が、放射線発生装置から信号中継器を介してコンソールに出力される。
コンソールの制御部は、撮影に使用される放射線画像検出装置からリセット完了信号を受信したか否かを判断し、リセット完了信号を受信した場合には、放射線発生装置に対する曝射禁止信号の出力を解除する。これに対して、リセット完了信号を受信しない場合には、操作装置の曝射ボタンが操作されても、曝射禁止信号の出力を解除せず、放射線発生装置の曝射が禁止された状態を維持する。
【００７２】
放射線画像検出装置からリセット完了信号を受信して、制御部が曝射禁止信号の出力を解除すると、放射線が照射され、放射線画像検出装置により画像データが取得される。
取得された画像データは、放射線画像検出装置から対応するコンソールに対して適宜送信され、コンソールは、データ管理サーバから取得したオフセット補正値情報やゲイン補正値情報等に基づいて、当該画像データについてオフセット補正やゲイン補正、その他の画像処理を行う。そして、各種補正や画像処理が完了すると、補正処理・画像処理後の画像データに基づく画像がコンソールの表示部に表示される。
【００７３】
以上のように、本実施形態によれば、コンソールに対応して設けられたドングルを放射線画像検出装置２の接続部に接続するだけで、各撮影室に対応したコンソールを特定し、これと接続するための接続設定情報を取得することができる。このため、１つの放射線画像検出装置を持ったまま撮影室を移動して撮影が行われる場合でも、特別な設定等を行うことなく、簡易な手法により、移動先の撮影室の無線帯域に合わせて、対応するコンソールと通信することが可能になる。
また、本実施形態では、コンソールと接続するための接続設定情報をドングルが保持しているため、放射線画像検出装置側で各コンソールに対応する接続設定情報をデータベースとして保有している必要がない。
【００７４】
なお、上記各実施形態では、対応付け情報保持デバイスとしてドングルを用いる場合を例として説明したが、対応付け情報保持デバイスは、対応するコンソールを特定することのできる情報を保持するとともにこれを放射線画像検出装置側に出力可能に構成されているものであればよく、例えば、放射線画像検出装置の充電等を行うクレードルをコンソールの近傍に設けて、このクレードルに対応するコンソールを特定することのできる情報を保持させ、放射線画像検出装置が接続された際に、この情報が放射線画像検出装置側に出力されるように構成することにより、クレードルを対応付け情報保持デバイスとして機能させてもよい。
【００７５】
また、各実施形態においては、対応付け情報保持デバイスとしてのドングルが各コンソールに対応して１つずつ設けられている場合を例として説明したが、１つのコンソールに対応する対応付け情報保持デバイスは、１つに限定されず、複数あってもよい。この場合、各対応付け情報保持デバイスはそれぞれ異なる固有ＩＤを保持し、この固有ＩＤがいずれも１つのコンソールと対応付けられていてもよいし、１つのコンソールに対応する対応付け情報保持デバイスは全て同じ固有ＩＤを保持していてもよい。
対応付け情報保持デバイスを複数備える場合、全ての対応付け情報保持デバイスがドングルであってもよいし、ドングルとクレードル等、異なる種類のものが混在していてもよい。
【００７６】
また、本実施形態では、放射線画像検出装置とコンソールとが無線ＬＡＮを用いて、情報の送受信を行う場合を例としたが、放射線画像検出装置とコンソールとの通信手法は、無線ＬＡＮに限定されない。
例えば、ＵＳＢ接続によって情報の送受信ができるように構成してもよい。この場合には、誤って不適切な接続がなされないように、各撮影室に対応するコンソールごとにセキュリティキーのためのＩＤ情報、パスワード等を持つようにし、対応付け情報保持デバイスは、このＩＤ情報、パスワード等を保持して、放射線画像検出装置と接続された際に、これを放射線画像検出装置側に出力するようにする。そして、このＩＤ情報、パスワードを入れない限り、情報を送受信するためのアプリケーションが動作しないようにすることにより、誤った接続やデータ送信が行われるのを防ぐことができる。
【００７７】
また、本実施形態では、放射線画像検出装置ごとのオフセット補正値情報やゲイン補正値情報等をデータ管理サーバが保有・管理している構成としたが、オフセット補正値情報やゲイン補正値情報等はータ管理サーバ以外が保有していてもよく、例えば、各コンソールの記憶部に、放射線画像検出装置ごとのオフセット補正値情報やゲイン補正値情報等が記憶されていてもよい。
【００７８】
また、本実施形態では、前室に設けられた操作装置に放射線発生装置の曝射ボタンが設けられている場合を例として説明したが、放射線発生装置の曝射ボタンは操作装置に設けられている場合に限定されない。例えば、コンソールに曝射ボタンが設けられていてもよい。
【００７９】
その他、本発明が本実施の形態に限定されず、適宜変更可能であることはいうまでもない。
【符号の説明】
【００８０】
２    放射線画像検出装置
５    コンソール
６    ドングル
７    データ管理サーバ
２４  センサパネル部
２５  インジケータ
２６  接続部
２８  バッテリ
２９  受電回路
３０  制御部
６１  コネクタ部
１１３  無線アクセスポイント
Ｒ  撮影室
【図１】
2011062425.tif 000003
【図２】
2011062425.tif 000004
【図３】
2011062425.tif 000005
【図４】
2011062425.tif 000006
【図５】
2011062425.tif 000007